(57)【要約】【課題】極力グレアを感じることのない照明装置を提供する。【解決手段】本発明の照明装置１は、天井面Ｃに取り付けられる長尺状のベース部材１０と、ベース部材１０に着脱自在に装着され、その底面に主光源部４０が設けられている長尺状のフレーム部材２０と、主光源部４０を覆うようにフレーム部材２０に取り付けられ、光拡散性を有するカバー部材３０と、を備え、フレーム部材２０の少なくとも一部が導光板Ｌにより構成されており、導光板Ｌの一端面に副光源部４２が設けられている。【選択図】図２
2019220444.tif 000002
【特許請求の範囲】
【請求項１】
天井面に取り付けられる長尺状のベース部材と、
該ベース部材に着脱自在に装着され、その底面に主光源部が設けられている長尺状のフレーム部材と、
前記主光源部を覆うように前記フレーム部材に取り付けられ、光拡散性を有するカバー部材と、を備え、
前記フレーム部材の少なくとも一部が導光板により構成されており、該導光板の一端面に副光源部が設けられていることを特徴とする照明装置。
【請求項２】
前記導光板が前記フレーム部材の長手方向に沿って設けられていることを特徴とする、請求項１に記載の照明装置。
【請求項３】
前記導光板の前記ベース部材側の面に対向して、反射板が設けられていることを特徴とする、請求項１又は２に記載の照明装置。
【請求項４】
前記反射板が前記導光板と離間して設けられていることを特徴とする、請求項３に記載の照明装置。
【請求項５】
前記導光板及び前記反射板が二色押出成形によって一体成形されていることを特徴とする、請求項３又は４に記載の照明装置。
【請求項６】
前記主光源部及び前記副光源部の発光状態がそれぞれ独立して制御可能であることを特徴とする、請求項１〜５のいずれか１項に記載の照明装置。
【請求項７】
前記フレーム部材が、前記主光源部が配置されるメインフレーム部と、前記フレーム部材の長手方向に沿って該メインフレーム部の両側にそれぞれ設けられた第１サイドフレーム部及び第２サイドフレーム部とを有し、
前記第１サイドフレーム部が前記導光板としての第１導光板を備え、該第１導光板の一端面に前記副光源部としての第１副光源部が設けられていることを特徴とする、請求項１〜６のいずれか１項に記載の照明装置。
【請求項８】
前記第２サイドフレーム部が前記導光板としての第２導光板を備え、該第２導光板の一端面に前記副光源部としての第２副光源部が設けられていることを特徴とする、請求項７に記載の照明装置。
【請求項９】
前記フレーム部材が、その長手方向に沿って分割されている少なくとも二つのフレーム構成部材を連結することにより形成されており、
前記少なくとも二つのフレーム構成部材のうちの一つが、前記第１サイドフレーム部に相当することを特徴とする、請求項７又は８に記載の照明装置。
【請求項１０】
前記フレーム部材が、その長手方向に沿って分割されている三つのフレーム構成部材を連結することにより形成されており、
前記三つのフレーム構成部材が、それぞれ前記メインフレーム部、第１サイドフレーム部及び前記第２サイドフレーム部に相当することを特徴とする、請求項７又は８に記載の照明装置。
【発明の詳細な説明】
【技術分野】
【０００１】
本発明は、光源にＬＥＤを用いた照明装置に関するものであり、特に器具本体とカバーユニットとで構成された天井面に設置される照明装置に関する。
【背景技術】
【０００２】
ＬＥＤを光源とする、天井面に取り付けられた照明器具は、主にベースとなる器具本体と発光部となるカバーユニットとで構成され、カバーユニットにはＬＥＤ実装基板が内蔵される。例えば、特許文献１及び特許文献２には、光源として用いる複数のＬＥＤチップを実装したＬＥＤ実装基板を内蔵したカバーユニットと、天井面への取り付け構造を有し、カバーユニットを保持する器具本体とによって構成される照明装置が開示されている。
【０００３】
このような構造の照明装置においては、発光部における拡散カバーとフレーム部材との隙間に生じる陰りをなくし、また発光部と天井面との輝度比を改善するために、拡散カバー形状やフレーム部材の形状に各種の工夫がされている。
【先行技術文献】
【特許文献】
【０００４】
【特許文献１】再表２０１５−１１５５１７号公報
【特許文献２】特開２０１５−１４１７６９号公報
【発明の概要】
【発明が解決しようとする課題】
【０００５】
ところで、近年のＬＥＤ発光効率の進歩により、発光部面積が小さい照明装置であっても十分な照度が得られるようになってきている。コスト面からも、光源部をコンパクトにすることで、樹脂カバーやＬＥＤ基板を小さくすることが有利であると考えられるが、発光部面積が小さくなると、天井を見上げたときにグレア（まぶしさ）を感じる原因となり、不快感を生じさせてしまうという問題がある。従来は発光部の両側に位置するフレーム部材のサイド部を白色に塗装し、発光部や周辺からの光を当該白色塗装部分に反射させることで、輝度差をなるべく小さくしてグレアの解消を図っていたが、グレアを完全に解消するには至っていない。
【０００６】
本発明は、このような点に鑑みてなされたものであり、極力グレアを感じることのない照明装置を提供することを目的とする。
【課題を解決するための手段】
【０００７】
上記目的を達成するために、本発明は、天井面に取り付けられる長尺状のベース部材と、該ベース部材に着脱自在に装着され、その底面に主光源部が設けられている長尺状のフレーム部材と、前記主光源部を覆うように前記フレーム部材に取り付けられ、光拡散性を有するカバー部材と、を備え、前記フレーム部材の少なくとも一部が導光板により構成されており、該導光板の一端面に副光源部が設けられていることを特徴とする照明装置を提供する（発明１）。
【０００８】
上記発明（発明１）によれば、フレーム部材の少なくとも一部が導光板により構成されており、導光板の一端面に副光源部が設けられていることにより、副光源部からの導光板への入射光を面発光により出射させることができるので、フレーム部材自体も副光源部からの照射光により発光し、あたかも照明装置全体が発光部であるように機能するため、グレアが解消される。なお、本願において「天井面に取り付けられる長尺状のベース部材」とは、ベース部材が天井面に直接取り付けられる態様の他、天井面内部に設けられているアンカーボルト等の取付部材を介して、ベース部材が天井面に設けられた開口部に埋設されるように取り付けられる態様や、天井面に設けられた天井梁材等の取付部材を介して、ベース部材が天井面に間接的に取り付けられる態様をも含む。また、本願においてフレーム部材の「底面」とは照明装置が天井面に取り付けられた状態で、照明光が照射される方向に位置する面を示す。
【０００９】
上記発明（発明１）においては、前記導光板が前記フレーム部材の長手方向に沿って設けられていることが好ましい（発明２）。
【００１０】
上記発明（発明２）によれば、導光板がフレーム部材の長手方向に沿って設けられていることにより、フレーム部材の一部が導光板により構成されている場合に比べてより均一な輝度分布を得ることができる。
【００１１】
上記発明（発明１，２）においては、前記導光板の前記ベース部材側の面に対向して、反射板が設けられていることが好ましい（発明３）。
【００１２】
上記発明（発明３）によれば、導光板のベース部材側の面から出射される光を反射板により再び導光板に戻すことができるので、光のロスがなく、副光源部から出射される光の量を最大限活用することができる。
【００１３】
上記発明（発明３）においては、前記反射板が前記導光板と離間して設けられていることが好ましい（発明４）。
【００１４】
上記発明（発明４）によれば、導光板と反射板との間が空気層となるので、導光板のカバー部材側の面に屈折率の低い空気が接触することにより、全反射の条件が満たされ、導光板の内部に副光源部からの入射光を十分に伝播させることができ、導光板のカバー部材側と反対側の面から出射される光の輝度ムラを抑制することができる。
【００１５】
上記発明（発明３，４）においては、前記導光板及び前記反射板が二色押出成形によって一体成形されていることが好ましい（発明５）。
【００１６】
上記発明（発明５）によれば、導光板と反射板という異なる特性を有する材料を一体成形することで、照明装置全体における組み立て工程を大幅に省略することができる。
【００１７】
上記発明（発明１〜５）においては、前記主光源部及び前記副光源部の発光状態がそれぞれ独立して制御可能であることが好ましい（発明６）。
【００１８】
上記発明（発明６）によれば、それぞれの光源部のオンオフやそれぞれの光源部からの照射量を、照明装置の設置場所や設置目的に応じて適切に制御することができる。
【００１９】
上記発明（発明１〜６）においては、前記フレーム部材が、前記主光源部が配置されるメインフレーム部と、前記フレーム部材の長手方向に沿って該メインフレーム部の両側にそれぞれ設けられた第１サイドフレーム部及び第２サイドフレーム部とを有し、前記第１サイドフレーム部が前記導光板としての第１導光板を備え、該第１導光板の一端面に前記副光源部としての第１副光源部が設けられていることが好ましい（発明７）。
【００２０】
上記発明（発明７）においては、前記第２サイドフレーム部が前記導光板としての第２導光板を備え、該第２導光板の一端面に前記副光源部としての第２副光源部が設けられていることが好ましい（発明８）。
【００２１】
上記発明（発明７，８）においては、前記フレーム部材が、その長手方向に沿って分割されている少なくとも二つのフレーム構成部材を連結することにより形成されており、前記少なくとも二つのフレーム構成部材のうちの一つが、前記第１サイドフレーム部に相当してもよい（発明９）。
【００２２】
上記発明（発明７，８）においては、前記フレーム部材が、その長手方向に沿って分割されている三つのフレーム構成部材を連結することにより形成されており、前記三つのフレーム構成部材が、それぞれ前記メインフレーム部、第１サイドフレーム部及び前記第２サイドフレーム部に相当してもよい（発明１０）。
【００２３】
上記発明（発明９，１０）によれば、フレーム部材が、二つ又は三つのフレーム構成部材を連結することにより形成されていることにより、照明装置の施工時の取扱性を向上させることができる。
【発明の効果】
【００２４】
本発明の照明装置によれば、フレーム部材の少なくとも一部が導光板により構成されており、導光板の一端面に副光源部が設けられていることにより、副光源部からの導光板への入射光を面発光により出射させることができるので、フレーム部材自体も副光源部からの照射光により発光し、あたかも照明装置全体が発光部であるように機能するため、グレアが解消される。このようにして極力グレアを感じることのない照明装置が提供される。
【図面の簡単な説明】
【００２５】
【図１】本発明の一実施形態に係る照明装置の構成（長手方向両端部の側板を取り外した状態）を示す斜視図である。
【図２】同実施形態に係る照明装置を示す断面図である。
【図３】同実施形態に係る照明装置が備える第１サイドフレーム部材の構成を示す拡大断面図である。
【図４】同実施形態に係る照明装置の主光源部、第１副光源部及び第２副光源部から照射される照射光の様子を示す光線図である。
【発明を実施するための形態】
【００２６】
以下、本発明の一実施形態を図面に基づいて詳細に説明する。図１は本発明の一実施形態に係る照明装置１の構成を示す斜視図であり、長手方向両端部の側板を取り外した状態を示している。図２は照明装置１の断面図である。なお、図２において符号Ｘは照明装置１の中心軸を示す。
【００２７】
照明装置１は、天井面Ｃに取り付けられる長尺状のベース部材１０と、ベース部材１０を覆うようにベース部材１０に着脱自在に装着される長尺状のフレーム部材２０と、フレーム部材２０を構成する一部材であるメインフレーム部材２１に取り付けられる光拡散性を有するカバー部材３０とを備える。図２に示すように、フレーム部材２０の底面には、床側に向けて（すなわち、照明光が照射される方向に向けて）複数のＬＥＤ４１が実装された実装基板４０が主光源部として取り付けられる。なお、実際の使用時には、照明装置１の長手方向両端部に、ベース部材１０、フレーム部材２０及びカバー部材３０を覆うように略逆富士山形状の側板（不図示）が、ビス止め、差込（スナップフィット）固定等の取付手段により取り付けられる。
【００２８】
ベース部材１０は、幅方向に見て左右が垂直部（側面）１１ａ、１１ｂ、天井面Ｃ側が水平部１２となった断面が略コ字状に長さ方向に伸延する長尺状の部材であり、例えば一枚の金属板により作製される。ベース部材１０は、天井面Ｃからのアンカーボルト（不図示）にナット（不図示）を螺合したりすることによって天井面Ｃに取り付けて固定させる。
【００２９】
ベース部材１０の垂直部１１ａ、１１ｂ及び水平部１２で形成される空間には、発光部（ＬＥＤ４１を実装した実装基板４０や、後述するＬＥＤ４３を実装した実装基板４２ａ、４２ｂ）に電力を供給する電源ユニット（不図示）や、フレーム部材２０をベース部材１０に着脱自在に取り付けるための取付構造（不図示）が収納される。
【００３０】
フレーム部材２０は、図２に示すように、その長手方向に沿って、光源として用いる複数のＬＥＤ４１を長さ方向に等間隔に実装した長尺状の実装基板４０が主光源部として配置されるメインフレーム部材２１と、フレーム部材２０の長手方向に沿ってメインフレーム部材２１の両側にそれぞれ設けられた第１サイドフレーム部材２２ａと、第２サイドフレーム部材２２ｂの三つのフレーム構成部材に分割されている。
【００３１】
第１サイドフレーム部材２２ａは、第１導光板として導光板Ｌａを備えており、導光板Ｌａのメインフレーム部材２１側の一端面には、光源として用いる複数のＬＥＤ４３を長さ方向に等間隔に実装した長尺状の実装基板４２ａが第１副光源部として設けられている。第２サイドフレーム部材２２ｂは、第２導光板として導光板Ｌｂを備えており、導光板Ｌｂのメインフレーム部材２１側の一端面には、光源として用いる複数のＬＥＤ４３を長さ方向に等間隔に実装した長尺状の実装基板４２ｂが第２副光源部として設けられている。
【００３２】
フレーム部材２０は、底面部には天井面Ｃに平行にメインフレーム部材２１が配置され、幅方向に見て図２における左側に第１サイドフレーム部材２２ａが、右側に第２サイドフレーム部材２２ｂが、メインフレーム部材２１に連結されている。本実施形態において、フレーム部材２０は、第１サイドフレーム部材２２ａ及び第２サイドフレーム部材２２ｂが中心軸Ｘに対して線対称に所定の角度をもって設けられており、全体として断面視略Ｃ字形状を有している。フレーム部材２０は、ベース部材１０とほぼ同じに長さ方向に伸延しており、取付構造（不図示）を介してベース部材１０に着脱自在に取り付けられる。
【００３３】
メインフレーム部材２１には、床側に向けて複数のＬＥＤ４１が実装された実装基板４０が主光源部として取り付けられている。実装基板４０のメインフレーム部材２１への取付方法は特に限定されるものではなく、例えば図２に示すように、メインフレーム部材２１の外側底面に形成された取付レール２１０ａ、２１０ｂからなる主光源配置部としてのスロットに、実装基板４０を長手方向端部からスライド挿入させて取り付けることができる。また、公知の固定手段（ビス止め、接着剤、等）を用いて実装基板がメインフレーム部材２１に直接取り付けられていてもよいし、基板ホルダのような別部材を介して取り付けられていてもよい。
【００３４】
また、メインフレーム部材２１には、幅方向に見て図２における左端に複数のＬＥＤ４３が実装された実装基板４２ａが、右端に複数のＬＥＤ４３が実装された実装基板４２ｂが、それぞれ第１副光源部、第２副光源部として取り付けられている。実装基板４２ａ、４２ｂのメインフレーム部材２１への取付方法は特に限定されるものではなく、例えば図２に示すように、メインフレーム部材２１の左端面に形成された取付レール２１２ａからなる第１副光源配置部としてのスロット、右端面に形成された取付レール２１２ｂからなる第２副光源配置部としてのスロットに、実装基板４２ａ、４２ｂをそれぞれ長手方向端部からスライド挿入させて取り付けることができる。また、公知の固定手段（ビス止め、接着剤、等）を用いて実装基板４２ａ、４２ｂがメインフレーム部材２１に直接取り付けられていてもよいし、基板ホルダのような別部材を介して取り付けられていてもよい。
【００３５】
なお、照明装置１の主光源部（実装基板４０に実装された複数のＬＥＤ４１）及び第１及び第２副光源部（実装基板４２ａ、４２ｂに実装された複数のＬＥＤ４３）の発光状態はそれぞれ独立して制御できるようになっている。これにより、それぞれの光源部のオンオフやそれぞれの光源部からの照射量を、照明装置１の設置場所や設置目的に応じて適切に制御することができる。
【００３６】
本実施形態において、メインフレーム部材２１はアルミ押出成形によって成形されている。メインフレーム部材２１をアルミ押出材とすることにより、熱膨張による影響を抑え、かつその強度を高くすることができるものの、照明装置１の長さや用途等に応じて、メインフレーム部材２１を、拡散透過・拡散反射性を有するプラスチック、例えばポリカーボネート（あるいはアクリル）により成形された乳白色の樹脂押出材で構成してもよい。メインフレーム部材２１を、このような材料で構成することにより、面発光性を有する第１サイドフレーム部材２２ａ、第２サイドフレーム部材２２ｂとの間に生ずる輝度差を、より目立たなくすることができる。
【００３７】
なお、メインフレーム部材２１には、実装基板４０を覆うようにカバー部材３０が取り付けられている。カバー部材３０のフレーム部材２０への取付方法は特に限定されるものではなく、例えば図２に示すように、メインフレーム部材２１の底面において実装基板４０の左右両側に形成された取付溝部２１１ａ、２１１ｂに、カバー部材３０の上端部に形成された取付爪部３１ａ、３１ｂを嵌合させることで、カバー部材３０をフレーム部材２０へと取り付けてもよいし、取付溝部２１１ａ、２１１ｂに取付爪部３１ａ、３１ｂを横方向からスライド挿入させることで、カバー部材３０をフレーム部材２０へと取り付けてもよい。
【００３８】
第１サイドフレーム部材２２ａは、第１導光板としての導光板Ｌａと反射板Ｒａとを備え、第２サイドフレーム部材２２ｂは、第２導光板としての導光板Ｌｂと反射板Ｒｂとを備えている。なお、本実施形態において、第１サイドフレーム部材２２ａと第２サイドフレーム部材２２ｂは、図２に示すように、照明装置１の中心軸Ｘに関して線対称に構成されているため、以下では第１サイドフレーム部材２２ａのみについて説明し、第２サイドフレーム部材２２ｂについての説明は省略する。
【００３９】
図１及び２に示すように、第１サイドフレーム部材２２ａにおいて、導光板Ｌａは第１サイドフレーム部材２２ａの長手方向に沿って設けられており、反射板Ｒａは導光板Ｌａのベース部材１０側の面に対向して、導光板Ｌａと離間して設けられている。導光板Ｌａのメインフレーム部材２１側の一端面には、メインフレーム部材２１の左端に第１副光源部として取り付けられている複数のＬＥＤ４３を長さ方向に等間隔に実装した長尺状の実装基板４２ａが配置されている。
【００４０】
本実施形態において、第１サイドフレーム部材２２ａが備える導光板Ｌａ及び反射板Ｒａは、図２及び３に示すように、メインフレーム部材２１側と反対側の端部において互いに結合して一体形状をなすように、合成樹脂材料の二色押出成形によって一体成形されている。なお、導光板Ｌａと反射板Ｒａの結合部の形状は特に限定されるものではなく、適宜設定することができるが、照明装置１の外観の美感等を考慮すると、図２及び３に示すように、丸みを帯びた形状とすることが好ましい。
【００４１】
メインフレーム部材２１に第１サイドフレーム部材２２ａを連結する方法は特に限定されるものではないが、本実施形態においては、メインフレーム部材２１の左端に形成された第１挟持部２１３ａに、導光板Ｌａのメインフレーム部材２１側の端部を、導光板Ｌａのメインフレーム部材２１側の端面が第１副光源部としてのＬＥＤ４３に対向するように、挟持させるとともに、第１挟持部２１３ａよりベース部材１０側においてメインフレーム部材２１の左端に形成された第１取付溝部２１４ａに、反射板Ｒａのメインフレーム部材２１側の端部に形成された取付爪部２２１ａを嵌合させることで、メインフレーム部材２１に第１サイドフレーム部材２２ａを連結している。このような連結方法を採用することにより、ＬＥＤ４３からの照射光の導光板Ｌａへの適切な入射を確保しつつも、メインフレーム部材２１へ第１サイドフレーム部材２２ａを強固に連結することができる。
【００４２】
第１サイドフレーム部材２２ａが導光板Ｌａを備えることにより、図３に示すように、第１副光源部としてのＬＥＤ４３からの導光板Ｌａへの入射光を全反射により内部に伝播させるとともに面発光により出射させることが可能となる。また、導光板Ｌａのベース部材１０側の面（反射面）に対向して反射板Ｒａを備えることにより、導光板Ｌａのベース部材１０側の面（反射面）から出射される光を反射板Ｒａにより再び導光板Ｌａに戻すことができるので、光のロスがなく、ＬＥＤ４３から出射される光の量を最大限活用することができる。さらに、反射板Ｒａが導光板Ｌａと離間して設けられていることにより、導光板Ｌａと反射板Ｒａとの間が空気層となるので、導光板Ｌａのベース部材１０側の面（反射面）に屈折率の低い空気が接触することにより、全反射の条件が満たされ、導光板Ｌａの内部にＬＥＤ４３からの入射光を十分に伝播させることができ、導光板Ｌａのベース部材１０側と反対側の面（出射面）から出射される光の輝度ムラを抑制することができる。
【００４３】
また、導光板Ｌａには、図３に示すように、ベース部材１０側の面（反射面）に光散乱部としてのＶ字溝が所定の間隔で形成されている。上記Ｖ字溝は、導光板Ｌａの内部を伝播する光を乱反射させ、ベース部材１０側と反対側の面（出射面）に導く働きをする。上記Ｖ字溝の深さは、ＬＥＤ４３の近傍では０．３ｍｍ程度であることが好ましく、ＬＥＤ４３から離れるにつれて段階的に深くなり、最も離れたところで０．７ｍｍ程度であることが好ましい。また、上記Ｖ字溝の頂角は、６０°〜１２０°の範囲内であることが好ましく、９０°であることがより好ましい。
【００４４】
照明装置１は、このように第１サイドフレーム部材２２ａ、第２サイドフレーム部材２２ｂが、第１導光板としての導光板Ｌａ、第２導光板としての導光板Ｌｂをそれぞれ備えており、導光板Ｌａ、Ｌｂのメインフレーム部材２１側の一端面には、光源として用いる複数のＬＥＤ４３を長さ方向に等間隔に実装した長尺状の実装基板４２ａ、４２ｂがそれぞれ第１副光源部、第２副光源部として設けられていることにより、フレーム部材２０自体も発光し、あたかも照明装置１全体が発光部であるように機能するため、グレアが解消される。
【００４５】
なお、フレーム部材２０をベース部材１０に着脱自在に取り付けるための取付構造としては、特に制限されるものではなく、板ばねやＶ字ばね、コイルばね等のばね部材をフレーム部材２０側に取り付け、ばね部材の一部を掛止するための取付部材をベース部材１０側に取り付けて、ばね部材の復元力、付勢力を用いてフレーム部材２０を上方に引き上げてベース部材１０に固定する周知の取付構造や、フレーム部材２０のメインフレーム部材２１の内側に取り付けられた取付ばねと、ベース部材１０の水平部１２に取り付けられた取付金具との組み合わせによる取付構造を採用することができる。
【００４６】
カバー部材３０は、拡散透過・拡散反射性を有するプラスチック、例えばポリカーボネート（あるいはアクリル）により成形された長尺状の部材であり、ベース部材１０及びフレーム部材２０とほぼ同じに長さ方向に伸延している。カバー部材３０はＬＥＤ４１からの照射光を拡散透過・拡散反射させる。本実施形態に係るカバー部材３０の形状は、図２に示すように、幅方向断面視で略六角形状となっているが、これに限られるものではなく、照明装置全体の外形や照明装置の用途、光学的な拡散性や発光効率等を考慮して、適宜最適な形に成形されてよい。
【００４７】
このような構造を有する照明装置１であれば、図４に示すように、主光源部である実装基板４０に実装された複数のＬＥＤ４１からの照射光が、カバー部材３０を介して拡散透過・拡散反射させられて、照明装置１の主たる照明光として床方向に照射されるとともに、副光源部である実装基板４２ａ、４２ｂに実装された複数のＬＥＤ４３からの照射光が、サイドフレーム部材２２ａ、２２ｂが備える導光板Ｌａ、Ｌｂによって面発光により出射させられて、照明装置１全体を発光部のように機能させることができる。すなわち、従来の同タイプの照明装置は、光源部からの照射光によりカバー部材部分のみが発光していたため、照明装置を見上げたときにグレアを強く感じるものであったが、本実施形態に係る照明装置１は、カバー部材３０部分を発光させる主光源部以外に別の副光源部をフレーム部材２０に備え、フレーム部材２０（サイドフレーム部材２２ａ、２２ｂ）にも発光性を持たせることにより、照明装置１全体が発光部として機能するため、照明装置１を見上げたときにほとんどグレアを感じることがない。
【００４８】
また、照明装置１は、サイドフレーム部材２２ａ、２２ｂが、導光板Ｌａ、Ｌｂの反射面に対向してそれぞれ反射板Ｒａ、Ｒｂをさらに備えることにより、導光板Ｌａ、Ｌｂの反射面から出射される光を反射板Ｒａ、Ｒｂにより再び導光板Ｌａ、Ｌｂに戻すことができるので、光のロスがなく、ＬＥＤ４３から出射される光の量を最大限活用することができる。
【００４９】
さらに、反射板Ｒａ、Ｒｂがそれぞれ導光板Ｌａ、Ｌｂと離間して設けられていることにより、導光板Ｌａ、Ｌｂと反射板Ｒａ、Ｒｂとの間が空気層となるので、導光板Ｌａ、Ｌｂの反射面に屈折率の低い空気が接触することにより、全反射の条件が満たされ、導光板Ｌａ、Ｌｂの内部にＬＥＤ４３からの入射光を十分に伝播させることができ、導光板Ｌａ、Ｌｂの出射面から出射される光の輝度ムラを抑制することができる。
【００５０】
なお、メインフレーム部材２１に対する、第１サイドフレーム部材２２ａ、第２サイドフレーム部材２２ｂの連結角度は、特に制限されるものではなく適宜設定することができるが、図４に示すように、真下から見上げた際に、メインフレーム部材２１がカバー部材３０により隠れるような所定の角度で、第１サイドフレーム部材２２ａ及び第２サイドフレーム部材２２ｂが設けられることが好ましい。このような所定の角度で、第１サイドフレーム部材２２ａ及び第２サイドフレーム部材２２ｂを設けることにより、真下から見上げた際に発光部が分断された構成とならず、あたかも照明装置１が一体的に発光しているように見える効果が促進される。
【００５１】
以上、本発明に係る照明装置について図面に基づいて説明してきたが、本発明は上記実施形態に限定されることはなく、種々の変更実施が可能である。照明装置の形状、ベース部材の形状、フレーム部材の形状、カバー部材の形状には様々なバリエーションが考えられる。
【００５２】
例えば、上記実施形態のフレーム部材２０はメインフレーム部材２１、第１サイドフレーム部材２２ａ、第２サイドフレーム部材２２ｂの三つのフレーム構成部材に分割されているが、これに限られるものではなく、メインフレーム部材２１とどちらかのサイドフレーム部材とを一体化した一つのフレーム構成部材とし、もう一方のサイドフレーム部材のみを分割したフレーム構成部材としてもよいし、フレーム部材２０を四つ以上のフレーム構成部材に分割してもよい。
【００５３】
また、上記実施形態においては、導光板Ｌａのベース部材１０側の面に対向して、反射板Ｒａが設けているが、反射板Ｒａの代わりに、例えば、導光板Ｌａのベース部材１０側の面に反射シートを設ける構成であってもよい。
【００５４】
さらに、それぞれのフレーム構成部材に上記実施形態とは異なる構造を用いてフレーム構成部材同士を嵌合させたり係合させたりして連結してもよいし、リベット、ねじ等の締結部材を用いて連結してもよい。あるいは、カシメ、溶接、接着等の方法により直接固着させてもよいし、ばね部材等の固定部材を用いて、フレーム構成部材同士を押し付けて連結してもよい。さらに、それらの連結方法を併用して連結状態を補強することも許容される。
【符号の説明】
【００５５】
１  照明装置
１０  ベース部材
２０  フレーム部材
２１  メインフレーム部材
２２ａ  第１サイドフレーム部材
２２ｂ  第２サイドフレーム部材
３０  カバー部材
４０  実装基板（主光源部）
４１  ＬＥＤ
４２ａ、４２ｂ  実装基板（副光源部）
４３  ＬＥＤ
Ｌａ、Ｌｂ  導光板
Ｒａ、Ｒｂ  反射板
Ｃ  天井面
【図１】
2019220444.tif 000003
【図２】
2019220444.tif 000004
【図３】
2019220444.tif 000005
【図４】
2019220444.tif 000006